(57)【要約】【課題】本発明は、花粉症を緩和することができる花粉症アレルゲンの不活性化方法を提供する。【解決手段】本発明の花粉症アレルゲンの不活性化方法は、花粉に存在する花粉症アレルゲン（Ａ）と、（Ａ）と反応可能な化合物（Ｂ）を接触させ、反応させることを特徴とする。（Ｂ）成分としてはアルデヒド基含有化合物であることが好ましい。【選択図】なし【特許請求の範囲】
【請求項１】
花粉に存在する花粉症アレルゲン（Ａ）と、該花粉症アレルゲン（Ａ）と反応可能な化合物（Ｂ）を接触させ、反応させることを特徴とする花粉症アレルゲンの不活性化方法。
【請求項２】
（Ｂ）がアルデヒド基含有化合物であることを特徴とする請求項１に記載の花粉症アレルゲンの不活性化方法。
【発明の詳細な説明】
【技術分野】
【０００１】
本発明は、花粉症を緩和することができる花粉症アレルゲンの不活性化方法に関するものである。
【背景技術】
【０００２】
花粉症は、風媒花の花粉が、遺伝的もしくは後天的にアレルギーを起こしやすい人の体内に入ったときに引き起こされるアレルギーである。例えば、スギ花粉症においては、２月〜４月にかけて空気中に放出されるスギ花粉により、鼻水や鼻づまり、目の充血などの不快な症状だけでなく、重症の場合には頭痛や体のだるさを伴う症状もみられ、現在約１２００万人もの人が悩まされているといわれている。
【０００３】
このようなスギ花粉症は、花粉症患者の呼気と伴に鼻腔粘膜に到達した花粉により引き起こされるものであるが、花粉そのものが抗原ではなく、花粉表面に存在する花粉症アレルゲンであるＣｒｙ  ｊ１及び花粉内部に存在する花粉症アレルゲンであるＣｒｙ  ｊ２などにより引き起こされる。
つまり、花粉症アレルゲンが粘膜を通過し、生体防御システムとして待ち構えているＩｇＥ抗体によって捕獲され、この花粉症アレルゲンとＩｇＥ抗体の反応が引き金となり、ケミカルメディエーターと呼ばれる炎症誘発物質が放出されることにより炎症が引き起こされるのである。具体的には、この炎症誘発物質とはヒスタミンやプロスタグランジン、ロイコトリエンといった物質であり、これらにより発熱や充血といった炎症反応が引き起こされる。
【発明の開示】
【発明が解決しようとする課題】
【０００４】
このような花粉症を予防する手段としては、マスクやゴーグルなどで目や鼻を直接外気に曝さないようにする、ＨＥＰＡやＵＬＰＡといったフィルターをエアコンや空気清浄機などの電化製品に用いて花粉を除去するなどの予防手段が挙げられる。
【０００５】
最近では、花粉症を効率よく予防するために、特許文献１、２のような方法が開示されている。
特許文献１では、マスクの中に１級アルコールと水膨潤性粘土鉱物を含むシートを挟み込むことで、花粉を吸着し、花粉に存在するアレルゲンを水膨潤性粘土鉱物によって分解する方法が開示されている。
また、特許文献２では、スギの葉を圧搾することにより得られるスギ油を用いて、花粉表面をスギ油で被覆し、花粉が粘膜に付着した際に、水膨潤によって割裂することを防ぎ、アレルゲンの溶出を防止する方法が開示されている。
【０００６】
【特許文献１】特開２００２−３１６９２５号公報
【特許文献２】特開２００２−２３４８４６号公報
【課題を解決するための手段】
【０００７】
本発明者らは、花粉症を予防する手段として、花粉に存在する花粉症アレルゲンを不活性化する、という従来技術にない全く新しい技術を見出し、本発明を完成するに至った。
【０００８】
即ち、本発明は下記の特徴を有するものである。
１．花粉に存在するアレルゲン（Ａ）と、該花粉症アレルゲン（Ａ）と反応可能な化合物（Ｂ）を接触させ、反応させることを特徴とする花粉症アレルゲンの不活性化方法。
２．（Ｂ）がアルデヒド基含有化合物であることを特徴とする１．に記載の花粉症アレルゲンの不活性化方法。
【発明の効果】
【０００９】
本発明においては、花粉症アレルゲンを不活性化することにより、花粉症を緩和することが可能である。
【発明を実施するための最良の形態】
【００１０】
以下、本発明をその実施するための最良の形態に基づき詳細に説明する。
【００１１】
本発明の不活性化方法は、花粉表面また内部に存在する花粉症アレルゲン（以下、「（Ａ）成分」ともいう。）と（Ａ）成分と反応可能な化合物（以下、「（Ｂ）成分」ともいう。）を接触させ、反応させることにより花粉症アレルゲンを不活性化させるものである。
本発明の花粉症アレルゲンの不活性化としては、例えば、花粉症アレルゲンの疎水化、花粉症アレルゲンの高分子量化、花粉症アレルゲンの分解などが挙げられ、花粉症アレルゲンと（Ｂ）成分を反応させ不活性化させることにより、花粉症を緩和することができる。
【００１２】
花粉症を引き起こす花粉症アレルゲン（（Ａ）成分）としては、代表的なものとして、スギ花粉のＣｒｙ  ｊ１、Ｃｒｙ  ｊ２、ヒノキ花粉のＣｈａ  ｏ１、Ｃｈａ  ｏ２、ブタクサ花粉のＡｍｂ  ａ１、シラカバ花粉のＢｅｔ  ｖ１、Ｂｅｔ  ｖ２などが挙げられる。
【００１３】
花粉症アレルゲンと反応可能な化合物（（Ｂ）成分）は、（Ａ）成分と反応し、（Ａ）成分を不活性化させる物質である。
花粉症アレルゲン中のアミノ基と反応する（Ｂ）成分としては、例えば、シトロネラール、シトラール（ゲラニアール、ネラール）、オクタナール、デカナール、α−シネンサール、β−シネンサールなどのテルペン類、レチナールなどのアルデヒド基含有化合物が挙げられる。
また、花粉症アレルゲン中のチオール基と反応する（Ｂ）成分としては、マレイミド化合物、２−ピリジルジチオ基含有化合物などが挙げられる。
また、花粉症アレルゲン中のカルボキシル基と反応する（Ｂ）成分としては、カルボジイミド化合物、アゾ化合物、イソオキサゾリウム化合物などが挙げられる。
【００１４】
本発明で用いる（Ｂ）成分としては、特に、人体への影響や環境などを考慮し、植物由来の物質が好ましく、例えば、シトロネラール、シトラール（ゲラニアール、ネラール）、オクタナール、デカナール、α−シネンサール、β−シネンサールなどのテルペン類、レチナールなどのアルデヒド基含有化合物などを用いることがこのましい。
【００１５】
不活性化する方法としては、（Ａ）成分と（Ｂ）成分を接触させることができれば特に限定されないが、（Ｂ）成分を含む溶液をスプレーする方法、（Ｂ）成分を含む溶液を加湿器などの利用にて室内に散布する方法、また、マスクやエアコンや空気清浄機などの電化製品のフィルターなどに利用する方法などが挙げられる。
溶液として用いる場合は、溶媒として、例えば、水、エタノールなどのアルコールなどを１種または２種以上を用いればよい。溶液のｐＨは、特に限定されないが、（Ａ）成分と（Ｂ）成分の反応性を考慮すると、ｐＨ３．０〜ｐH７．５程度であることが好ましい。
本発明では特に、人体への影響、環境などを考慮し、ｐH５．０〜ｐH７．５程度の水溶液を用いることが好ましい。
このような溶液中の（Ｂ）成分の濃度としては、特に限定されないが、通常、０．０１〜１０重量％程度であればよい。
【００１６】
本発明では、特に、花粉症アレルゲンを疎水化することが好ましい。花粉症アレルゲンを疎水化することにより、親水性である粘膜を通過しにくくなる。したがって、アレルゲンを疎水化することによって、個人個人の閾値のレベルに到達することを抑制し、花粉症をより緩和することができる。
具体的に、疎水化の程度としては、分配係数Ｐ（１−オクタノール／水）により表すことができる。
なお、分配係数Ｐ（１−オクタノール／水）とは、下記の式で表され、物質が水層中の溶解する濃度と１−オクタノール層中の溶解する濃度の比で示される。したがって分配係数Ｐが高い数値ほど疎水化の程度が大きいことを示す。
Ｐ＝ｌｏｇ１０（Ｃｏ／Ｃｗ）
Ｃｏ：１−オクタノール層中の濃度（ｍｏｌ／リットル）
Ｃｗ：水層中の濃度（ｍｏｌ／リットル）
【００１７】
本発明は、花粉症の緩和方法として用いられるものであるが、その他、タンパクをアレルゲンとするアレルギー症状を緩和することも可能である。
【００１８】
以下に実施例を示し、本発明の特徴をより明確にする。
【実施例１】
【００１９】
１００重量部のスギ花粉抗原Ｃｒｙ  ｊ1、１００重量部のレチナール（０．７重量％水溶液）、トリス塩酸バッファー（ｐＨ＝６．８）１０００重量部を混合し、温度２３℃、湿度５０％で１時間攪拌し、試験溶液を作製した。この試験溶液の１−オクタノール／水での分配係数Ｐを測定したところ、分配係数Ｐは０．５であった。
また、１−オクタノール層中に存在する成分を分光光度計（株式会社島津製作所製、ＵＶ−３１００）にて、測定したところ、花粉症アレルゲン（Ｃｒｙ  ｊ１）中のベンゼン環に起因する吸収ピーク（２８０ｎｍ）が観察され、Ｃｒｙ  ｊ１が疎水化されていることが分かった。
【実施例２】
【００２０】
１００重量部のスギ花粉抗原Ｃｒｙ  ｊ1、１００重量部のシトラール（０．７重量％水溶液）、リン酸バッファー（ｐＨ＝５．０）１０００重量部を混合し、温度２３℃、湿度５０％で１２時間攪拌し、試験溶液を作製した。この試験溶液の１−オクタノール／水での分配係数Ｐを測定したところ、分配係数Ｐは０．０であった。
また、１−オクタノール層中に存在する成分を分光光度計（株式会社島津製作所製、ＵＶ−３１００）にて、測定したところ、花粉症アレルゲン（Ｃｒｙ  ｊ１）中のベンゼン環に起因する吸収ピーク（２８０ｎｍ）が観察され、Ｃｒｙ  ｊ１が疎水化されていることが分かった。
【実施例３】
【００２１】
１００重量部のスギ花粉抗原Ｃｒｙ  ｊ1、１００重量部のシトロネラール（０．７重量％水溶液）、リン酸バッファー（ｐＨ＝５．０）１０００重量部を混合し、温度２３℃、湿度５０％で１２時間攪拌し、試験溶液を作製した。この試験溶液の１−オクタノール／水での分配係数Ｐを測定したところ、分配係数Ｐは−１．０であった。
また、１−オクタノール層中に存在する成分を分光光度計（株式会社島津製作所製、ＵＶ−３１００）にて、測定したところ、花粉症アレルゲン（Ｃｒｙ  ｊ１）中のベンゼン環に起因する吸収ピーク（２８０ｎｍ）が観察され、Ｃｒｙ  ｊ１が疎水化されていることが分かった。
【００２２】
（参考例）
１００重量部のスギ花粉抗原Ｃｒｙ  ｊ１をトリス塩酸バッファー（ｐＨ＝６．８）１０００重量部を混合し、温度２３℃、湿度５０％で１時間攪拌し、これの１−オクタノール／水での分配係数Ｐの測定を行った。分配係数Ｐは−１．４であった。
１−オクタノール層中に存在する成分を分光光度計にて、測定したところ、花粉症アレルゲン（Ｃｒｙ  ｊ１）中のベンゼン環に起因する吸収ピーク（２８０ｎｍ）はほとんど観察されなかった。